(57)【要約】【課題】本発明の課題は、台玉レンズＡ１とその一部にはめ込まれた小玉レンズＡ２からなるレンズにおいて、埃や不要物の付着を防止し、かつレンズ下方部Ａ２の近傍において、遠用部Ａ１の領域を確保する老視矯正用二重焦点レンズを提供することにある。【解決手段】台玉レンズＡ１とその一部にはめ込まれた小玉レンズＡ２からなるレンズにおいて、眼球側の該二つのレンズ接合部Ａ３の表面形状が垂直方向に滑らかな連続性を保ち、かつ水平方向の接合部Ａ３に対して段差をもち結合されて構成されることを特徴とする老視矯正用二重焦点レンズにより達成される。【選択図】図１
2006030500.tif 000002
【特許請求の範囲】
【請求項１】
台玉レンズＡ１とその一部にはめ込まれた小玉レンズＡ２からなるレンズにおいて、該二つのレンズ接合部Ａ３の表面形状が垂直方向に滑らかな連続性を保ち、かつ水平方向に対して段差をもち結合されて構成されることを特徴とする老視矯正用二重焦点レンズ。
【発明の詳細な説明】
【技術分野】
【０００１】
本発明は、老視矯正用遠近二重焦点レンズの形状に関するものである。
【背景技術】
【０００２】
若年者にとって、凹レンズあるいは凸レンズに基づいた眼鏡を着用することにより近視、あるいは遠視に対して、その視力矯正が容易に可能と考えられている。
これは、眼球の視力調整機能が柔軟に適応するためであるが、老齢化に伴い、視力調節機能が衰えた場合には、凹凸レンズ単機能のみでの矯正により、遠近を鮮明に見ることが難しくなり、いわゆる老眼と呼ばれる状況に陥る。
このように遠近調整機能が衰える老眼に対して、その視力矯正を１つの眼鏡でおこなうには、レンズ上に遠くを見る遠用部と近くを見る近用部の２つの部分を兼ね備えた二重焦点レンズが有効である。
【０００３】
従来の二重焦点レンズの形状としては、遠用部A１に相当する凹レンズに基づく台玉１と、その一部に近用部A２として小玉レンズ２をうめこんだ形状が考案されている。
【０００４】
特許文献１では、様々な従来技術が列挙されており、図４および図５では、遠用部A１に相当する台玉１の一部を近用部A２として半円形の小玉レンズ２をうめこみ、下方部への視点移動が多い領域に近用部２が配された形状をしており、台玉１の垂直方向Vにおいて中心部からの接合部Ａ３で段差がみられる。
【０００５】
図６では、図４、図５における遠用部と近用部の段差を滑らかに連続的に形状変化をもたせることにより、遠近二重焦点レンズの接合部Ａ３が目立たないように工夫されたファッション性を重視した形状がとられている。
【０００６】
図７は、遠近二重焦点レンズの接合部Ａ３をさらに目立たなくするため、より広い範囲にわたって、遠近部の接合部Ａ３が滑らかに変化させたいわゆる非球面レンズとして台玉と小玉レンズとが一体かした二重焦点レンズの形状をもっている。
【０００７】
【特許文献１】特開平08-094980  老視矯正用二重焦点レンズ
【発明の開示】
【発明が解決しようとする課題】
【０００８】
しかしながら、非球面レンズによる二重焦点レンズは、遠近レンズの接合部Ａ３の調整のため台玉Ａ１全体にひずみが広がり、遠近焦点が適する領域が比較的狭くなってしまう。
例えば、図７では、中央の瓢箪型の領域のみが視界として利用可能な領域であり、その外側部は、遠近どちらにも適さない視界領域となってしまうため、使用者の視野を極端に狭くしてしまう。
【０００９】
一方、遠近部の視野をより広く確保した形状である図４、図５に示す老視矯正用二重焦点レンズでは、小玉との接合部Ａ３に段差があるため、日常使用に際して外光の反射や散乱、埃などの不要物が付着するなどによる不快感を生じさせる問題がある。
【００１０】
図６では、これらの不快感を解消しているが、遠近部の接合部Ａ３を滑らかするために小玉部２の領域や接合部Ａ３が広くとられ、下方部が主に近用部Ａ２で占められてしまうため、階段などで視点を下方部に移動させる際に、足元に焦点が合わなくなる不都合が生じてしまうことが課題となる。
【００１１】
以上より、本発明の課題は、台玉レンズＡ１とその一部にはめ込まれた小玉レンズＡ２からなるレンズにおいて、埃や不要物の付着を防止し、かつレンズ下方部Ａ２の近傍において、遠用部Ａ１の領域を確保する老視矯正用二重焦点レンズを提供することにある。
【課題を解決するための手段】
【００１２】
上記第１の目的は、 台玉レンズＡ１とその一部にはめ込まれた小玉レンズＡ２からなるレンズにおいて、該二つのレンズ接合部Ａ３が垂直方向に滑らかな連続性を保ち、かつ水平方向の接合部Ａ３に対して段差をもち結合されて構成されることを特徴とする老視矯正用二重焦点レンズを用いることにより解決することができる。
【発明の効果】
【００１３】
本発明に従った二重焦点レンズを構成すると、下方部においては、遠用部Ａ１、近用部Ａ２が確保されたより視野の広い老視矯正用二重焦点レンズを提供することができる。
【００１４】
埃は、重力により垂直方向に積もること、および外光の反射が垂直方向の段差による場合が多いことを考慮すれば、垂直方向の接合部Ａ３に連続性をもたせることによりそれらを防止することができる。
【００１５】
一方、水平方向の接合部Ａ３に、あえて段差を残すことにより、遠近部の接合部Ａ３によるひづみ面積を最小化することができ、遠用部Ａ１および近用部の面積を最大に確保することができ、階段の昇降などにおける下方部の視界確保が容易になる。 
【発明を実施するための最良の形態】
【００１６】
図１は、本実施例に関する老視矯正用二重焦点レンズＧ１を正面から見たものである。
眼鏡として利用可能な部分Ｇ２において遠用部Ａ１と近用部Ａ２から構成されている。
【００１７】
図２は、図１の台玉１を垂直線Ｓ１、Ｓ２およびＳ３における断面図である。
また、Ｓ４は、台玉１と小玉２を通るで水平に切断した断面図である。図３は、垂直線Ｓ１の各点ａ１〜ａ５、垂直線Ｓ２の各点ｂ１〜ｂ５、垂直線Ｓ３の各点ｃ１〜ｃ５における度数補正値を示したものである。
【００１８】
台玉１と小玉２の２つのレンズが、垂直方向および水平方向で連続、不連続となる非球面設計となっている。
【００１９】
水平断面Ｓ４から、近用部Ａ２の境目が段差を持たせることにより、遠近接合部３による遠用部Ａ１のひずみが生じない。そのため、下方部においても遠用部Ａ１が大きく確保できる。
【００２０】
一方、垂直断面Ｓ２では、近用部Ａ２と遠用部Ａ１の境目３を滑らかにすることにより、埃の蓄積や光の乱反射などによる不快が生じない形状となっている。
【産業上の利用可能性】
【００２１】
老人の社会参加が見込まれる今後の社会において、足元までを含めて視野をより広く、かつ快適な視界を提供する遠近両用眼鏡の技術として利用可能性はきわめて高く、産業上利用可能である。 
【図面の簡単な説明】
【００２２】
【図１】本発明のレンズの概要図。
【図２】本発明のレンズの断面図。
【図３】本発明のレンズの焦点値分布表の図。
【図４】従来の二重焦点レンズの例図
【図５】従来の二重焦点レンズの例図
【図６】従来の二重焦点レンズの例図
【図７】従来の境目のない二重焦点レンズの例図
【符号の説明】
【００２３】
Ａ１  眼鏡レンズの台玉
Ａ２  眼鏡レンズの小玉
Ａ３  遠近レンズ接合部
Ｇ１  眼鏡レンズの台玉
Ｇ２  眼鏡使用部
Ｇ３  眼鏡レンズの小玉
Ｇ４  連続加工部
Ｓ１  眼鏡レンズの小玉レンズを通過しない垂直断面
Ｓ２  眼鏡レンズの小玉レンズを通過する垂直断面
Ｓ３  眼鏡レンズの小玉レンズを通過しない垂直断面
Ｓ４  眼鏡レンズの水平断面
【図１】
2006030500.tif 000003
【図２】
2006030500.tif 000004
【図３】
2006030500.tif 000005
【図４】
2006030500.tif 000006
【図５】
2006030500.tif 000007
【図６】
2006030500.tif 000008
【図７】
2006030500.tif 000009